(57)【要約】  本発明は、少なくとも１つのタービンホイール（１８、２０）を担持する少なくとも１つのシャフト（１２、２２）を有するターボ機械（１０）に関する。シャフト（１２、２２）は、ターボ機械（１０）の通常利用状態で実質的に垂直に配向され、シャフト（１２、２２）は単一軸受（１４、２４）によって保持される。
2013520608.tif 000002
【特許請求の範囲】
【請求項１】
圧縮機（１６）、第１のシャフト（１２）、第２のシャフト（２２）、第１のタービン（１８、２０）、および第２のタービン（１８、２０）を有するターボ機械（１０）にして、第１のシャフト（１２）は第１および第２のタービン（１８、２０）から選択された要素のうちの１つに属する少なくとも１つのタービンホイールを担持し、第２のシャフト（２２）は第１および第２のタービン（１８、２０）から選択された他方の要素に属する少なくとも１つのタービンホイールを担持するターボ機械であって、第１および第２のシャフト（１２）はターボ機械（１０）の通常利用状態で実質的に垂直に配向され、第１のシャフト（１２、２２）は第１の単一軸受（１４）によって保持され、第２のシャフト（２２）は第２の単一軸受（２４）によって保持される、ターボ機械。
【請求項２】
第１のシャフト（１２）と第２のシャフト（２２）とが同軸である、請求項１に記載のターボ機械。
【請求項３】
第１のシャフト（１２）が、第２のシャフト（２２）の内側を通る、請求項２に記載のターボ機械。
【請求項４】
高温領域（ＺＣ）を有し、第１および第２の単一軸受（１４、２４）は、前記高温領域（ＺＣ）の外側に配置される、請求項３に記載のターボ機械。
【請求項５】
燃焼室（２６）を有し、第１および第２の単一軸受（１４、２４）は、前記燃焼室（２６）から上流側に配置される、請求項３または４に記載のターボ機械。
【請求項６】
第１および第２の単一軸受（１４、２４）が、圧縮機（１６）から上流側に配置される、請求項３から５のいずれか一項に記載のターボ機械。
【請求項７】
航空機のターボジェットまたはターボシャフトエンジンを構成する、請求項１から６のいずれか一項に記載のターボ機械。
【発明の詳細な説明】
【技術分野】
【０００１】
本発明は、ターボ機械の分野に関する。
【背景技術】
【０００２】
通常は、ターボ機械は、少なくとも１つのタービンホイール（タービンホイールはフリータービンであっても連結タービンであってもよい）に接続される少なくとも１つのシャフトであって、水平に、すなわち、軸が重力の方向に対して実質的に垂直な方向に配向されたシャフトを備える。シャフトを適切に保持してシャフトの重量を支えるために、複数の軸受、一般的には、２つの軸受がシャフトに沿って配置される。したがって、上流側から下流側に向かって順に、圧縮機、燃焼室、およびタービンを備えるターボ機械では、１つの軸受は圧縮機から上流側に配置され、別の軸受は燃焼室から下流側に配置される。この配置には、複数の欠点がある。
【発明の概要】
【発明が解決しようとする課題】
【０００３】
第１の欠点は、シャフトは長くて重い場合が多く、それぞれの軸受により点支持がなされても、片持ち梁状態の長い部分が残り、この状態では、シャフトがシャフト自体の重量およびシャフトが担持するタービンホイールの重量により変形してしまう可能性があるということである。このような静的変形は、シャフトの真直度を変化させ、ターボ機械が動作中でシャフトが軸を中心として回転している時にアンバランスを引き起こす。
【０００４】
第２の欠点は、複数の軸受の存在に関連し、そのためにターボ機械の重量を増加させ、ターボ機械の効率を低下させる。
【０００５】
最後に、第３の欠点は、燃焼室から下流側に配置される軸受が、ターボ機械の特に高温の領域にあり、ここで軸受は高いレベルの熱応力を受けるということである。軸受が適切に動作できるように、また軸受のコーキングのリスクを避けるために、通常は、冷却油回路を使用する冷却システムを配設する必要がある。このような冷却システムは、設置や維持が複雑であり、ターボ機械の製造コストおよび維持コストを増大させると同時に、さらにターボ機械の重量を増加させる。
【０００６】
本発明の目的は、上述の欠点の少なくとも１つを大幅に軽減することである。
【課題を解決するための手段】
【０００７】
上述の目的は、少なくとも１つのタービンホイールを担持する少なくとも１つのシャフトを有するターボ機械であって、シャフトがターボ機械の通常利用状態で実質的に垂直に配向され、シャフトが単一軸受によって保持されているターボ機械によって達成される。
【０００８】
前記タービンホイールは、ターボ機械の連結タービンまたはフリータービンのいずれにも属する場合があることは理解されたい。連結タービンは、ターボ機械の圧縮機に機械的に連結されているタービンであるが、フリータービンは、圧縮機から機械的に独立したタービンである。
【０００９】
本明細書では、垂直方向は重力の方向に相当する。したがって、「垂直に」配向されるとは、「重力の方向に」配向されるという意味である。副詞「実質的に」は、シャフトが配向される方向が垂直方向から少しずれる可能性があることを意味するのに使用される。
【００１０】
用語「ターボ機械の通常利用状態」は、ターボ機械が車両、特に、車両が（地上、水上、空中を）水平に移動する航空機（この場合、ターボ機械は、例えば、ターボジェットまたはターボシャフトエンジンで構成される）に搭載されている状態、またはターボ機械が工業生産現場に取り付けられている状態（この場合、ターボ機械は、例えば、地上ガスタービンで構成されてもよい）を意味するのに使用される。ターボ機械は、動作中でも停止中でもよい。したがって、特に、設置前の輸送またはターボ機械の修理を含む状態は、「通常利用状態」に相当しない。
【００１１】
シャフトを垂直方向に位置決めすることによって、シャフトは、シャフト自体の重量により、またタービンホイールの重量により真直度を変化させる可能性のある静的変形を引き起こすような片持ち梁状態にはならないことが理解できる。したがって、先行技術のターボ機械とは違って、本発明のシャフトは、半径方向の静的力（すなわち、シャフトの軸に垂直な方向に作用する力および前記軸と交差する力）を受けない。当然、シャフトは軸方向の力（すなわち、シャフトの軸に沿って作用する力）をほとんどまたは全く受けないので、シャフトが座屈するリスクおよびシャフトの真直度が変化するリスクがない。シャフトおよびタービンホイールの重量は、シャフトにとって軸方向の無視できるほど小さな力である。このことで、シャフトは真っ直ぐな状態を維持することができる。
【００１２】
さらに、シャフトは垂直に配置されるので、先行技術にあるように、シャフトの重量を支持するために、シャフトの長さに沿って配置される複数の軸受を使用してシャフトを保持する必要がない。シャフトは、単一軸受によって一か所で保持されることで正確に保持されることが可能である。当然、単一軸受は、シャフトとタービンホイールとで構成されるアセンブリの重量を軸方向に支持するのに適したものでなければならない。
【００１３】
さらに、通常利用状態では、ターボ機械は動作中であるが、シャフトは、ジャイロ作用により、その元の軸方向位置（すなわち、停止している時の軸方向位置）の周囲で固定される。ジャイロ作用とは、軸を中心として急速回転している任意の物体がその回転軸方向を変えようとする任意の力に対抗しようとする性質のことである。したがって、シャフトの軸方向位置は、まず第１に、（ターボ機械が停止した時に、シャフトをターボ機械内の元の位置で保持し、シャフトの重量を支持する）軸受により、第二に、（ターボ機械が動作中に、シャフトをターボ機械内の元の位置の周囲で固定する）ジャイロ作用により、ターボ機械のどんな通常利用状態であってもターボ機械内の同じ位置で維持される。
【００１４】
また、ターボ機械は単一軸受を有するので、複数の軸受を有する先行技術のターボ機械に比べて重量を抑えることができる。したがって、本発明のターボ機械は、先行技術のターボ機械に比べて、軽量であり、ひいては、効率が改善される。
【００１５】
また、単一軸受により、ターボ機械内のスペースを節約することもできる。本発明のターボ機械の単一軸受は、先行技術のターボ機械の複数の軸受に比べて、占めるスペースが小さい。このスペースの節約により、特に、本発明のターボ機械を、例えば、シャフトを短くすることで先行技術のターボ機械よりもコンパクトにすることができる。
【００１６】
用語「単一軸受」は、シャフトを支持する単一リングを備えるアセンブリ、またはシャフトを支持し隣接して配置される複数のリングを備えるアセンブリ（これらの隣接配置される支持リングがシャフトの長さの１０％未満に配置される場合に限る）を指すのに使用されることに留意されたい。
【００１７】
有利には、ターボ機械には高温領域があり、単一軸受は高温領域の外側に配置される。
【００１８】
通常は、ターボ機械において、高温領域は、燃焼室の近くの燃焼室からすぐ下流側の領域であり、高温ガスによって駆動される（フリーおよび／または連結）タービンはこの領域に配置される。
【００１９】
したがって、軸受は、高温領域の外側のシャフトに沿った任意の領域に配置されてもよいことが理解できる。特に、軸受は、燃焼室から上流側に配置されてもよいし、または燃焼室からすぐ下流側の領域を越えて配置されてもよい。
【００２０】
一実施形態では、特に、ターボ機械がターボジェットまたはヘリコプタのタービンエンジンである場合、軸受は、ターボ機械の低温領域、すなわち、温度が２００℃（セ氏２００℃）を越えない領域に配置される。
【００２１】
別の実施形態では、軸受は、ターボ機械の高温領域に配置される。このような状況では、単一軸受を高温から保護するために、単一軸受は冷却される領域および／またはヒートスクリーンで保護された領域に閉じ込められる。
【００２２】
本明細書において、用語「上流側」または「下流側」は、ターボ機械内を流れるガスの正常な流れ方向を指すことに留意されたい。
【００２３】
ターボ機械は燃焼室を有し、単一軸受は前記燃焼室から下流側に配置されるのが好ましい。
【００２４】
燃焼室から上流側のガスの温度は、燃焼室から下流側のガスの温度より低い。したがって、燃焼室から上流側に軸受を配置することにより、確実に、軸受は、燃焼室から下流側に配置された場合に受ける熱応力よりも小さい熱応力を受ける環境に配置されることになる。この燃焼室から上流側の熱応力は、軸受を損傷させない程度に小さいので、軸受のために冷却装置は必要でない。
【００２５】
ターボ機械は圧縮機を有し、単一軸受は圧縮機から上流側に配置されるのが好ましい。
【００２６】
有利には、ターボ機械は、圧縮機、第１のタービン、および第２のタービンを有し、前記シャフトは、第１のタービンおよび第２のタービンから選択された要素のうちの１つに属する少なくとも１つのタービンホイールを担持する第１のシャフトを構成し、前記単一軸受は第１の単一軸受を構成する。
【００２７】
例えば、変形形態では、第１のタービンは連結タービンであり、第２のタービンはフリータービンである。別の変形形態では、第１のタービンは高圧スプールに連結されたタービンであり、第２のタービンは低圧スプールに連結されたタービンである。
【００２８】
有利には、ターボ機械はさらに、ターボ機械の通常利用状態で実質的に垂直に配向された第２のシャフトを含み、前記第２のシャフトは第１のタービンおよび第２のタービンから選択された他方の要素に属する少なくとも１つのタービンホイールを担持し、前記第２のシャフトは第２の単一軸受によって保持される。
【００２９】
有利には、第１のシャフトと第２のシャフトとは同軸である。さらに、第１のシャフトは、第２のシャフトの内側を通るのが好ましい。さらに、第１および第２の単一軸受は、圧縮機から上流側に配置されるのが好ましい。
【００３０】
一実施形態では、本発明のターボ機械は、航空機のターボジェットまたはターボシャフトエンジンである（すなわち、構成する）。好ましくは、本発明のターボ機械は、ヘリコプタのターボシャフトエンジンである（すなわち、構成する）。
【００３１】
本発明および本発明の利点は、非限定的な例として挙げられた本発明の実施形態の以下の詳細な説明を読めば、よりよく理解できるであろう。以下の説明は、添付図面を参照して行う。
【図面の簡単な説明】
【００３２】
【図１】ターボ機械の第１の実施例を示す長手方向断面図である。
【図２】ターボ機械の第２の実施例を示す長手方向断面図である。
【発明を実施するための形態】
【００３３】
図１は、ターボ機械１０の第１の実施例を示し、ターボ機械１０の軸Ｘの長手方向断面図である。ターボ機械１０の軸Ｘは、垂直に配向され、すなわち、太字矢印で示されるように重力Ｇの方向に平行に配向される。破線矢印は、ターボ機械内を流れるガスの流れ方向を示している。
【００３４】
ターボ機械１０は、垂直に配向され単一軸受１４によって保持されるシャフト１２を含み、この場合、ターボ機械は通常利用状態で示されている。ターボ機械１０は、圧縮機１６、連結タービン１８、およびフリータービン２０を備え、シャフト１２はフリータービン２０の一部を形成するタービンホイールを担持する第１のシャフトを構成し、単一軸受１４は第１の単一軸受を構成する。
【００３５】
図示されている例では、フリータービン１８および連結タービン２０は、ぞれぞれ１つのタービンホイールのみを有する。当然、変形形態では、連結タービンおよび／またはフリータービンが複数のタービンホイールを有することも可能である。
【００３６】
ターボ機械１０はさらに、同様に垂直に配向された第２のシャフト２２を有し、第２のシャフト２２は連結タービン１８に属するタービンホイールを担持し、第２のシャフト２２は第２の単一軸受２４によって保持される。
【００３７】
第１のシャフト１２は、第２のシャフト２２と同軸であり、第２のシャフト２２の内側を通る。
【００３８】
第１および第２の単一軸受１４、２４は、圧縮機１６から上流側に配置される。
【００３９】
フリータービン２０を担持する第１のシャフト１２は、ターボ機械１０によって発生された駆動エネルギーを利用するために力伝達装置（図示せず）に機械的に接続される。
【００４０】
さらに、ターボ機械１０は軸Ｘを中心とした環状の燃焼室２６を有し、第１および第２の軸受１４、２４は燃焼室２６から上流側に配置される。この例では、圧縮機１６および連結タービン１８は共に第２のシャフト２２によって担持されるが、フリータービン２０は第１のシャフト１２によって担持されることに留意されたい。燃焼室２６は、固定されており、ターボ機械１０のケーシングによって担持される。さらに、フリータービン２０は、連結タービン１８から下流側に配置される。
【００４１】
周囲温度のガスが、ガス受入口２８を通ってターボ機械１０に入り込む。その後、ガスは圧縮機１６によって圧縮される。その後、ガスは、燃料が噴射されて燃焼される燃焼室２６に入る。この燃焼がガスを加熱する。その後、高温ガスは、タービン１８および２０を通過する時に膨張されて冷却される。連結タービン１８は、圧縮機１６を駆動し、フリータービン２０は、このように回収された機械エネルギーを力伝達装置（図示せず）に伝達する第１のシャフト１２を駆動する。最後に、ガスは、排気口３０を介してターボ機械１０から排気される。燃焼室２６からフリータービン２０まで、より一般的には、ガス排気口３０までのガスの温度は低下することは理解できる。
【００４２】
したがって、燃焼室２６の上流端とフリータービン２０の下流端との間の領域ＺＣは、ターボ機械１０の高温領域となる。連結タービン１８およびフリータービン２０は、燃焼室２６からすぐ下流側の領域に配置されることに留意されたい。
【００４３】
第１の単一軸受１４および第２の単一軸受２４を圧縮機１６から上流側に配置することにより、ガス受入口２８の近くで、第１単一軸受１４および第２の単一軸受２４は高温領域ＺＣの外側に配置される。変形形態では、第１の軸受および／または第２の軸受は、フリータービン２０から下流側の高温領域ＺＣの外側に配置される。しかしながら、単一軸受１４、２４が耐えることができても、この位置の周囲温度は、高温領域ＺＣから上流側より高くなる。すなわち、軸受１４および２４が熱応力をほとんど受けないのは、燃焼室２６から上流側、特に、ガス受入口２８の近くである。
【００４４】
この例では、単一軸受１４は１つのシャフト支持リング１４ａを有し、単一軸受２４は２つのシャフト支持リング２４ａ、２４ｂを有する。例として、これらの支持リング１４ａ、２４ａ、および２４ｂは、玉軸受、ころ軸受などである。
【００４５】
さらに、軸受１４および２４は、ターボ機械１０の底部に垂直方向（ターボ機械１０の軸Ｘ方向と一致する）に配置される。より一般的には、図１および図２では、ターボ機械１０の底部は図の下方に対応し、上部は図の上方に対応する。すなわち、底部は重力Ｇが向けられた部分であり、上部はその反対側部分である。
【００４６】
図１では、軸受１４、２４は、シャフト１２、２２をその底端部で保持する。したがって、軸受１４、２４は、シャフト１２、２２を下から支持する。すなわち、ターボ機械１０の構造は、軸受１４、２４上に「立っている」構造であると考えられる。この例では、ガスはターボ機械１０の底部を通って下方からターボ機械１０に取り込まれ、ターボ機械１０の上部を通って上方から吐出される。
【００４７】
図２は、ターボ機械１０の第１の実施例と同様のターボ機械１１０の第２の実施例を示す図である。同じ部品については、改めて説明せず、１００を加えた符号で示す。
【００４８】
ターボ機械１０とターボ機械１１０との主な違いは、これらが上下逆であり、ターボ機械１０の底部の要素がターボ機械１１０の上部にあり、その逆も同様であるということである。したがって、第１および第２の単一軸受１１４、１２４は、ターボ機械１１０の上部に位置し、第１および第２のシャフト１１２、１２２を上端部で上方から保持している。すなわち、ターボ機械１１０の構造は、軸受１１４、１２４から「吊り下げられている」構造であると考えられる。この例では、ガスはターボ機械１１０の上部を通って上方からターボ機械１１０に取り込まれ、ターボ機械１１０の底部を通って下方から吐出される。
【図１】
2013520608.tif 000003
【図２】
2013520608.tif 000004
【国際調査報告】
2013520608.tif 000005
2013520608.tif 000006
2013520608.tif 000007
2013520608.tif 000008
2013520608.tif 000009
2013520608.tif 000010